(57)【特許請求の範囲】
【請求項１】
誘電体シート材の複数の部分（２，３）を折るための方法であり、前記部分（２，３）を有するシート（５）を、前記複数の部分（２，３）が、２つの外側の長手方向の互いに面したフラップを形成するように、このシート（５）を物品（４）の周りにＵ字形状に折るために、この物品（４）にあてがう工程と、
前記物品（４）の外面（６）へと前記複数の部分（２，３）のうちの第１の部分を折る工程と、
前記第１の部分の内面（２１）に第１の所定の分布の電荷（２２）を形成し、前記外面（６）に反対の極性の第２の分布の電荷（２３）を誘起させることにより、前記第１の部分と外面（６）との間に静電吸引力を発生させる工程と、
前記折られた第１の部分をそのままにする工程と、
前記部分（２，３）のうちの第２の部分を、前記折られた第１の部分の上へと折る工程とを具備する誘電体シート材の部分を折る方法。
【請求項２】
前記物品（４）は、少なくとも外部が誘電体で形成されている請求項１の折る方法。
【請求項３】
前記第１の分布の電荷（２２）は、前記第１の部分を折る工程の前に、電界によりこの第１の部分を分極することにより形成され、また、前記第２の分布の電荷（２３）は、前記第１の部分が折られるのに従って、第１の分布の電荷（２２）により誘起されることにより形成される請求項１の折る方法。
【請求項４】
前記第１と第２の分布の電荷（２２，２３）は電界により分極されることにより同時に形成される請求項１の折る方法。
【請求項５】
前記電界は、導電材で形成され、物品（４）の搬送路の両側に配置された複数のプレート（１１，１２）により形成され、これらプレート（１１，１２）はキャパシタ（１４）のプレートを構成し、また、前記折る工程は、キャパシタ（１４）の下流側に配置された折り部材（１５）により果たされる請求項３の折る方法。
【請求項６】
前記電界は、導電材で形成された複数のプレート（１１，１６）により形成され、これらプレート（１１，１６）はキャパシタ（１４）のプレートを構成し、また、前記折る工程は、前記電界を形成するキャパシタ（１４）のプレートのうちの１つを構成する折り部材（１５）により電界内で果たされる請求項４の折る方法。
【請求項７】
前記電界は、前記折り工程を果たす折り部材（１５）により形成される請求項４の折る方法。
【請求項８】
前記折り部材（１５）は、互いに電気的に絶縁され、前記電界を発生させるキャパシタ（３０）のプレートを構成する複数のほぼ同一平面のプレート（１６，２９）を有する請求項７の折る方法。
【発明の詳細な説明】
【０００１】
【産業上の利用分野】
本発明は、誘電体シート材の部分を折る方法に関し、特に、以下の説明で一例として単に述べるほぼ平行六面体パケットのための包装マシン、特にセロハンでの包装マシンでの使用に有効である。
【０００２】
【従来の技術】
この種セロハン包装マシンにおいて、一般的にはポリプロピレンよりなる、透明な合成樹脂でできた熱シール材のシートが、ほぼ平行六面体を含む物品の周りでＵ字形状に折られる。そして、シートの２つの対向する部分は物品より延出し、延出部分は、物品の上で互いに重なるように折られて筒状の包装体に形成される。この包装体は、上記両延出部分を熱シールすることにより安定にされる。
【０００３】
この種セロハン包装マシンにおいては、前記延出部分の少なくとも一方は、折り部材により物品の外面上に通常は折られる。このように一方の部分を折るために、折り部材は物品に対して前後に動き、そして、折り部材自身を動かすか物品を動かすかして折り部材は物品に対して抜かれて上記折られた部分は自由になる。この結果、固定折り部材により、この折られた部分上に他方の延出部分が折られる。
【０００４】
【発明が解決しようとする課題】
この種既知のセロハン包装マシンにおいては、折り部材を抜くのに従って最初に折られた部分が引っ張られててしまうような、折り部材の傾向による幾つかの問題が最初に折るときにある。また、最初に折られた部分は、折られかつ熱シールされる間、外部の部材により通常は支持されなければならない。
【０００５】
従って、本発明の目的は、上記問題を解決して方法を提供することである。
【０００６】
【課題を解決するための手段】
本発明に係われば、誘電体シート材の部分を折るための方法であり、前記部分を備えたシートを支持体にあてがう工程と、支持体の外面上に前記部分を折る工程とを具備し、さらに、前記部分と外面との間に静電吸引力を発生させる工程を具備することを特徴とする。
【０００７】
前記吸引力は、好ましくは、前記部分の内面に第１の所定の分布の電荷を形成し、前記外面に第２の分布の反対の極性の電荷を形成することにより発生される。
【０００８】
上記方法の好ましい実施の形態に係われば、前記第１の分布の電荷は、前記部分を折る工程の前に、電界によりこの部分を分極することにより形成され、また、前記第２の分布の電荷は、前記部分が折られるのに従って、第１の分布の電荷により誘起されることにより形成される。
【０００９】
上記方法の好ましい別の実施の形態に係われば、前記第１と第２の分布の電荷は電界により分極されることにより同時に形成され、また、前記折る工程は、好ましくは、前記電界を形成するキャパシタのプレートのうちの１つを構成する折り部材により果たされる。
【００１０】
【実施の形態】
図１において、符号１は、誘電体シート材の２つの部分２，３の少なくとも一方を直角に折るための折りユニットを示す。
【００１１】
図示された例において、このユニットは、包装マシン、特に、少くとも外部が誘電体により形成された支持体、即ち、物品４を包装するためのセロハン包装マシンの一部を構成している。そして、前記２つの部分２，３は誘電体シート材、好ましくはポリプロピレン、のシート５の端部である。このシートは、物品の周りで折られて筒状の包装体（図示せず）となる。このために、シート５は、個々の物品の周りで既知の方法により（図示せず）Ｕ字形状に最初に折られ、この結果、前記端部２，３は物品６の外側面を越えるように延出する。
【００１２】
そして、前記物品４と個々のＵ字形状に折られたシート５とは、ユニット１中を矢印７で示す方向に搬送手段（図示せず）により搬送される。このユニット１は、矢印７の方向に順次配置された分極装置８と折り装置９とを有する。
【００１３】
この分極装置８は、電源１０と、導電材でできた２つの平行なプレート１１，１２とを有する。これらプレート１１，１２は、前記２つの部分が互いに平行に向い合いプレート１１，１２に夫々近接して平行となった状態で個々のＵ字形状に折られたシート５と物品４とを受けるための搬送路１３を、間に規定している。また、これらプレート１１，１２は、電源１０の夫々の極に電気的に接続されて、搬送路１３内に電界を発生させるためのキャパシタ１４の極プレートを構成している。
【００１４】
前記折リ装置９は、少くとも１つの折り部材１５を有する。この折り部材１５は、必ずしも必要ではないが、好ましい誘電体で形成された平プレート１６を有する。この平プレート１６は、前記矢印７で示す方向に対して垂直であり、リニア・アクチュエータ１７の出力側に接続され、矢印７で示す方向に垂直な矢印１８で示す方向に折り位置へと、また折り位置から移動される。この折り位置で、前記平プレート１６は２つの部分２，３の一方、例えば部分３と係合して物品４の表面６上に直角に折る。図示する例において、この折り部材１５に類似した別の折り部材（図示せず）が部分２を折られた部分３の一部並びに表面６の上に折るために、設けられている。
【００１５】
実際の使用において、物品４とＵ字形状に折られたシート５とが矢印７で示す方向に搬送されるのに従って、キャパシタ１４により発生された電界中に入り、夫々の部分２，３の外面１９はプレート１１，１２と対面し、この結果、電界は、プレート１１，１２上に分布された電荷とは反対の極性の表面電荷２０を部分２，３の外面１９に誘起する。同時に、この電界は、電荷２０とは反対の極性の表面電荷２２を部分２，３の内面に誘起する。そして、このような電荷分布は、シートが搬送路１３を通過し、矢印７で示す方向に折り装置９に向かって物品４が前進した後も、所定の時間残る。
【００１６】
折り装置９が部分２，３と係合すると、内面２１は、物品４の面６に接触されるようになり、面６上に電荷２２と反対の極性の電荷２３を誘起する。この結果、電荷２３は、電荷２２と共同して、部分２，３が折り部材１５の平プレート１６により解放されても、静電吸引により部分２，３の面６へのしっかりとした接触が維持される。
【００１７】
図２の変形例において、プレート１２は除去されており、図１の装置で得られる結果は、折り部材１５を分極装置８に組合わせ、接続プレート１６を、前にプレート１２に接続されていた側の電源１０の極に接続することにより達成される。この接続プレート１６は、この場合は導電材でできている。
【００１８】
図３に示す変形例においては、分極装置８にはプレート１１，１２が設けられておらず、折り部材１５のリニアー・アクチュエータ１７の代わりに、物品４の搬送方向７に垂直で、部分２，３に平行に、プレート１６の一端に沿って延びた軸２５を中心にプレート１６を回動させるための駆動装置２４が設けられている。プレート１６は軸２５を中心として第１の位置と第２の位置との間で回動する。第１の位置では、プレート１６は、面２６がシートの部分２，３の外面１９に平行に面するようにして、矢印７で示す方向に平行となる。また、第２の位置では、プレート１６は、物品４の面６と面するようにして、矢印７で示す方向とは垂直となる。そして、プレート１６が第１の位置から第２の位置へと回動するのに従って、部分２，３を物品４の面６上へと直角に折る。
【００１９】
図３並びに４に示す変形例において、プレート１６は導電材で形成されており、外面２６に複数の座部２７を有する。各座部２７は電気絶縁材で形成された内カバー２８を有し、導電材で形成されたパッド２９を収容している。これらパッド２９の外面は前記外面２６と同一平面となっている。
【００２０】
前記部分２，３は、プレート１６を、前にプレート１２が接続されていた側の電源１０の極に接続すると共に、パッド２９を、前にプレート１１が接続されていた側の電源１０の極に接続して、キャパシタ３０を形成することにより帯電（分極）される。このキャパシタ３０により発生される電界は、プレート１６と面する部分２，３の外面１９に、プレート１６，２９に分布された電荷とは部分的に反対の極性の表面電荷２０を誘起する。同時に、この電界は、部分２，３の内面２１に、電荷２０とは部分的に反対の極性の表面電荷２２を誘起する。そして、プレート１６が面６と面する位置に来たときに、電界は、面６に、電荷２２とは部分的に異なる極性の電荷２３を誘起する。この電荷２３は、電荷２２と共同して、部分２，３が折り部材１５のプレート１６により解放されたときにでも、静電吸引により面６との部分２のしっかりとした接触を維持する。
【００２１】
即ち、図１に示す装置では、部分２，３は分極された後に面６へと折られるけれど、図２，３に示す装置では、分極と折りとが同時に行われる。しかし、両者とも、部分２，３は、いかなる種類の外部支持部材を必要としないで、面６上に折られ、しっかりと維持される。
【図面の簡単な説明】
【図１】本発明に係る方法を果たす折りユニットを、明確にするために一部を断面し、また一部を除去して示す概略的側面図である。
【図２】図１に示す折りユニットの第１の変形例を、明確にするために一部を断面し、また一部を除去して示す概略的側面図である。
【図３】図１に示す折りユニットの第１の変形例を、明確にするために一部を断面し、また一部を除去して示す概略的側面図である。
【図４】図３に示す折りユニットの詳細を、明確にするために一部を断面し、また一部を除去して示す概略的正面図である。
【符号の説明】
１…折りユニット、２，３…部分、４…物品（支持体）、５…シート、８…分極装置、９…折り装置、１０…電源、１１，１２…プレート、１５…折り部材、２０，２２…電荷。
【図１】
0003805855.tif 000002
【図２】
0003805855.tif 000003
【図３】
0003805855.tif 000004
【図４】
0003805855.tif 000005